(57)【要約】【課題】デジタルカメラ機能を備えた画像表示装置において、対象物の撮影画像を拡大表示する際に、その撮影画像における所望の部分を速やかに発見可能となるように拡大表示する。【解決手段】画像表示装置は、撮影手段であるカメラ２と、カメラ２による撮影画像を表示する表示手段である表示パネル３と、カメラ２により撮影された撮影画像を拡大表示するための拡大処理モジュール６１とを備えている。この拡大処理モジュール６１は、動きセンサ４または画像認識モジュール６２により検出した結果を受け、撮影位置の移動／静止を判断し、状態に応じて拡大倍率を変動させて拡大表示する。【選択図】図２
2006186658.tif 000002
【特許請求の範囲】
【請求項１】
対象物を撮影する撮影手段と、撮影手段により撮影された撮影画像を表示する表示手段とを備えた画像表示装置であって、前記撮影手段により撮影された撮影画像を拡大表示するための拡大処理手段を備え、該拡大処理手段は、撮影位置の移動／静止に応じて拡大倍率を変動させて拡大表示することを特徴とする画像表示装置。
【請求項２】
請求項１に記載の画像表示装置において、撮影画像の変化を認識して撮影位置の移動／静止を判定する手段と、該画像表示装置に搭載された動きセンサにより撮影位置の移動／静止を判定する手段のいずれか又は両方を備えていることを特徴とする画像表示装置。
【請求項３】
請求項２に記載の画像表示装置において、前記拡大処理手段は、撮影位置の移動の度合に合わせて段階的に拡大倍率を変動させて拡大表示することを特徴とする画像表示装置。
【請求項４】
請求項３に記載の画像表示装置において、前記拡大処理手段は、撮影位置の移動／静止に応じて敏感に拡大倍率を変動させるのではなく、遊びをもって緩慢に拡大倍率を変動させることを特徴とする画像表示装置。
【請求項５】
請求項１ないし４のいずれか１に記載の画像表示装置において、装置利用者が現在の拡大倍率を確認できるように、拡大倍率もしくは拡大倍率を示唆する図形と表示画像とを合わせて表示することを特徴とする画像表示装置。
【請求項６】
請求項１ないし５のいずれか１に記載の画像表示装置を備えた携帯電話機。
【発明の詳細な説明】
【技術分野】
【０００１】
本発明は、画像表示装置及び携帯電話機、より詳細には、撮影画像を表示デバイスに表示し、更に撮影画像を拡大する拡大表示機能を備えている画像表示装置及び該装置を備えた携帯電話機に関するものである。
【背景技術】
【０００２】
高齢者や視力の弱い人などがそれを補う道具として拡大鏡がある。この拡大鏡は光学レンズを利用しており、ある決まった倍率で対象物を拡大して表示する。最近では、携帯電話機などが備えるデジタルカメラ機能の高機能化に伴い、そのカメラ機能の表示手段に拡大機能が付加されており、拡大鏡と同等の機能を提供している。特許文献１で提案されている平板型デジタル拡大鏡も同様で、ユーザーが事前に、もしくはキー操作で拡大倍率を所望の倍率に設定し、対象物を拡大して表示する。
【特許文献１】特開２００１−３５９０８８号公報
【発明の開示】
【発明が解決しようとする課題】
【０００３】
しかしながら、従来の拡大鏡を用いて拡大表示する場合、特に拡大倍率が大きい場合は対象物のどこを拡大表示しているのか分かりにくくなる。すなわち、対象物の任意の部分を拡大表示するとその周りの物が確認できなくなり、所望の部分と現在表示している部分の位置関係が把握できず、ユーザーは撮影位置をどの方向にどの程度移動させてよいのか分からなくなる。そのため、ユーザーは対象物と表示画面とを見比べて、何度も装置を移動させなくてはならないという問題がある。
【０００４】
本発明は、上述のごとき実情に鑑みてなされたものであり、デジタルカメラ機能を使用した撮影画像を拡大表示する際に、その撮影画像における所望の部分をユーザーが速やかに発見することができるようにした画像表示装置と、該画像表示装置を備えた携帯電話機を提供することを目的としてなされたものである。
【課題を解決するための手段】
【０００５】
このような課題を解決するために、第１の技術手段は、対象物を撮影する撮影手段と、撮影手段により撮影された撮影画像を表示する表示手段とを備えた画像表示装置であって、撮影手段により撮影された撮影画像を拡大表示するための拡大処理手段を備え、拡大処理手段は、撮影位置の移動／静止に応じて拡大倍率を変動させて拡大表示することを特徴としたものである。
【０００６】
第２の技術手段は、第１の技術手段において、撮影画像の変化を認識して撮影位置の移動／静止を判定する手段と、画像表示装置に搭載された動きセンサにより撮影位置の移動／静止を判定する手段のいずれか又は両方を備えていることを特徴としたものである。
【０００７】
第３の技術手段は、第２の技術手段において、拡大処理手段は、撮影位置の移動の度合に合わせて段階的に拡大倍率を変動させて拡大表示することを特徴としたものである。
【０００８】
第４の技術手段は、第３の技術手段において、拡大処理手段は、撮影位置の移動／静止に応じて敏感に拡大倍率を変動させるのではなく、遊びをもって緩慢に拡大倍率を変動させることを特徴としたものである。
【０００９】
第５の技術手段は、第１ないし第４のいずれか１の技術手段において、装置利用者が現在の拡大倍率を確認できるように、拡大倍率もしくは拡大倍率を示唆する図形と表示画像とを合わせて表示することを特徴としたものである。
【００１０】
第６の技術手段は、第１ないし第５の技術手段における画像表示装置を備えた携帯電話機である。
【発明の効果】
【００１１】
本発明によれば、デジタルカメラ機能を使用した撮影画像を拡大表示する際に、その撮影画像における所望の部分をユーザーが速やかに発見することができるようにした画像表示装置と、該画像表示装置を備えた携帯電話機を提供することができる。
すなわち本発明によれば、簡単な操作で、高齢者や視力の弱い人など視力の低下したユーザーに、見たい情報を拡大して提供することができる。また従来からある拡大鏡とは異なり、拡大倍率をその都度調整しなくても効率よく所望の対象物を拡大表示することができ、ユーザーの使い勝手が格段に向上する。
【発明を実施するための最良の形態】
【００１２】
＜実施例１＞
図１は、本発明による画像表示装置の一実施例を示す模式図で、図１（Ａ）は画像表示装置の表側部分（表示パネル面）を示す図（虫眼鏡をモチーフにしている）、図１（Ｂ）は画像表示装置の裏側部分（カメラ面）を示す図である。図１において、１は画像表示装置の筐体、２は筐体１の裏側に配置されたカメラ、３は筐体１の表側に配置された表示パネル、４は動きセンサ、５は入力装置となっている。本実施例ではその使用形態からカメラ２と表示パネル３が筐体１の表裏に配置されているが、カメラ２はファイバースコープのように筐体１と独立して動く形状をしていてもよい。
【００１３】
また動きセンサ４はカメラ２による撮影位置の移動を検知するために搭載している為、カメラ２の近傍に配置されていることが望ましい。ただし、本実施例のように筐体１にカメラ２が固定されている場合、動きセンサ４は筐体１のどの部分にあっても問題ない。また入力装置５はキーパッドなどで構成される。表示パネル３にタッチセンサが搭載されていて表示パネル３上で入力操作が行える場合、入力装置５は無くても構わない。また、本実施例において、表示パネル３と入力装置５は同一面に配置されているが別の面に配置されていても構わない。また入力装置５は拡大倍率などの調整が必要なければ無くても構わない。
【００１４】
図２は上記筐体１の内部のブロック図で、図１と共通する部分には同一の符号を付けている。図２において、６はワンチップマイコン、６１はカメラ２で撮影した撮影画像を拡大処理後に表示パネル３に出力する拡大処理モジュール、６２はカメラ２で撮影した撮影画像を認識して撮影位置の移動を検知する画像認識モジュール、７はユーザーが設定した拡大倍率などの情報を保存しておく不揮発メモリとなっている。
【００１５】
本実施例ではワンチップマイコン６に拡大処理モジュール６１と画像認識モジュール６２が内蔵されているが、各モジュールはハードウェア実装でも、ソフトウェア実装でも、その両方でもよい。また、拡大処理モジュール６１と画像認識モジュール６２はワンチップマイコン６と別チップになっていてもよい。不揮発メモリ７はユーザーが設定した各種情報を保存するために使用する。各種情報は表示パネル３にメニューを表示し、入力装置５を使って対話的に設定する。情報を保存する必要がなければ不揮発メモリ７は無くても構わない。
【００１６】
図３は画像認識モジュール６２の動作例を説明するための図である。図３において、１１はある時間におけるカメラ２の撮影画像、１１’は撮影画像１１からＴ秒経過後のカメラ２の撮影画像、１０１はある時間における対象物、１０１’は（実際は撮影画像１１’に表示されていないが）Ｔ秒経過後の１０１の残像、１０２はＴ秒経過後に移動した対象物、１０３は対象物１０１から対象物１０２までの移動量である。
【００１７】
本画像表示装置を用いてある時間に対象物１０１をカメラ２で撮影した画像が撮影画像３１であるとすると、継続して対象物１０１を撮影した時、撮影位置が移動しない（もしくは対象物１０１が自発的に移動しない）場合、対象物１０１は同じ場所に位置するので撮影画像１１には変化がない。逆に撮影位置が移動する（もしくは対象物１０１が自発的に移動する）場合、対象物１０１は撮影画像１１で存在していた位置（残像１０１’）から対象物１０２に移動量１０３だけ移動し、撮影画像１１’になる。このとき画像認識モジュール６２は撮影画像１１と撮影画像１１’の内容が異なることを検知し、対象物の移動量を測定し、拡大処理モジュール６１に通知する。
【００１８】
続いて動きセンサ４による撮影位置の移動検知について説明する。動きセンサ４は加速度センサ、ジャイロセンサ、角度センサなどの１つまたは複数で構成されるが、パソコンの入力装置であるボール式マウスや光学式マウスなどに採用されている移動検出技術を利用することも考えられる。いずれにしてもこれらのセンサは装置の移動を検知する。動きセンサ４は装置の移動を検知し、移動量を測定し、拡大処理モジュール６１に通知する。画像認識モジュール６２のみで撮影位置の移動検知を行う場合、動きセンサ４を省くことが可能となり、システムの簡素化を図ることができる。また、動きセンサ４のみで撮影位置の移動検知を行う場合、処理負荷の高い画像認識処理を行う必要がなくなり、ワンチップマイコン６は安価なチップを採用することができる。
【００１９】
図４は拡大処理モジュール６１の動作例について説明するための図である。拡大処理モジュール６１はカメラ２の撮影画像を演算処理により拡大し、または、カメラ２のズーム機能を制御して拡大することにより、所望の拡大画像を生成する。図４は、表示パネル３で表示している内容を時系列に順に図４（Ａ）〜図４（Ｆ）に示すもので、図４（Ａ）は対象物を検索中で撮影位置を移動させている状態を示し、二番目の図４（Ｂ）は対象物を発見して撮影位置を静止させた状態を示している。そして以降、図４（Ｃ）から図４（Ｆ）まで順に対象物が段階的に拡大表示されていく様を示している。
【００２０】
このように段階的に（滑らかに）拡大倍率を変動させることでユーザーが現在位置（撮影位置）を見失うことを防げる。倍率変動の割合及び倍率変動の時間間隔は入力装置５を使ってユーザーが事前に設定できることが望ましい。ただし、撮影位置が大きく移動した場合はユーザーが事前に設定した値を基に段階を数段飛ばすなどして速くかつ大きく倍率を変動させる。
【００２１】
図５は、拡大処理モジュールの他の動作例について説明するための図で、図５（Ａ）は拡大倍率と撮影位置の移動量の関係を示した関係図、図５（Ｂ）は図５（Ａ）を拡大倍率の状態遷移図にまとめたものである。
図５（Ａ）は、その横軸が単位時間あたりの撮影位置の移動量になっている。横軸の中ほどにある閾値（遊び）を通る破線を境に左側が静止領域、右側が移動領域となっている。縦軸は拡大倍率で、下が低倍率、上が高倍率になっている。拡大倍率の最小値は１、最大値はＮである。最大倍率（所望倍率）のＮはユーザーが事前に設定した値もしくは装置に最初から組み込まれている値である。
【００２２】
図５（Ａ）のブロック矢印で示すとおり、静止領域では拡大倍率はアップし、移動領域では拡大倍率はダウンする。また、拡大倍率は１からＮの間で段階的に変動し、かつ拡大表示が滑らかに変化するために適当な時間間隔をもって段階遷移する。
【００２３】
ここでは図５（Ｂ）に示すように、初期状態２１における拡大倍率を１として最初に静止状態２２へ遷移する。以後は、移動量が閾値以上の場合は移動状態２３へ遷移、移動量が閾値未満の場合は静止状態２２へ遷移する。静止状態２２から静止状態２２へ遷移した場合（静止状態２２が維持された場合）は拡大倍率をアップし、移動状態２３から移動状態２３へ遷移した場合（移動状態２３が維持された場合）は拡大倍率をダウンする。拡大倍率の範囲は最低値１、最高値Ｎとする。
【００２４】
上記図４及び図５の処理を適用しない画像表示装置で表示を行った場合、前述の画像認識モジュール６２または動きセンサ４によって単純に移動検知を行うと手ブレなどで移動検知して意図しない拡大倍率の変動が発生してしまう。図４及び図５の処理を適用した画像表示装置で表示を行った場合、手ブレなどの微細な移動は閾値により適切にキャンセルされ、移動検知されずユーザーが意図したように拡大倍率の変動を起こすことができる。ユーザーの個体差や使用状態などにより、適切に手ブレをキャンセルできる閾値が変わってくるため、閾値は前記入力装置５を使ってユーザーが設定する。
【００２５】
＜実施例２＞
図６は本発明の他の実施例に関わる画像表示装置における拡大処理モジュールの動作例を説明するための図で、図中、２０１〜２０５はそれぞれ拡大倍率を示唆する図形となっている。ここでは拡大倍率が低倍率の図形２０１から高倍率の図形２０５の順にその符号が大きくなっている。
図６は基本的には図４と変わらないが、拡大倍率を示唆する図形２０１〜２０５が撮影画像の中央にオーバーレイ表示されている。拡大倍率を示唆する図形が撮影画像に重なって表示されることで撮影画像中の所望の対象物が見つけ易くなる。また、図６に示すように、表示画像の拡大倍率に応じて図形２０１〜２０５の大きさが変化する為、拡大倍率を定量的に把握し易くなる。また、静止→移動→静止→移動の繰り返しによる拡大倍率変動の中でも現在位置（撮影位置）を見失う事を防げる。対象物によっては図形の形状／色、または表示ＯＮ／ＯＦＦなどを変更した方がよい。この場合、入力装置５を使ってユーザーが設定する。
【図面の簡単な説明】
【００２６】
【図１】本発明による画像表示装置の一実施例を示す模式図である。
【図２】筐体の内部のブロック図である。
【図３】画像認識モジュールの動作例を説明するための図である。
【図４】拡大処理モジュールの動作例について説明するための図である。
【図５】拡大処理モジュールの他の動作例について説明するための図である。
【図６】本発明の他の実施例に関わる画像表示装置における拡大処理モジュールの動作例を説明するための図である。
【符号の説明】
【００２７】
１…画像表示装置の筐体、２…カメラ、３…表示パネル、４…動きセンサ、５…入力装置（キーパッド）、６…ワンチップマイコン、６１…拡大処理モジュール、６２…画像認識モジュール、７…不揮発メモリ、１１…ある時間におけるカメラ２の撮影画像、１１’…Ｔ秒経過後のカメラの撮影画像、１０１…ある時間における対象物、１０１’…Ｔ秒経過後の１０１の残像、１０２…Ｔ秒経過後に移動した対象物、１０３…移動量、２０１…最低倍率１を示唆する図形、２０２〜２０４…最低倍率１と最高倍率Ｎの間の段階的な倍率を示唆する図形、２０５…最高倍率Ｎを示唆する図形。
【図１】
2006186658.tif 000003
【図２】
2006186658.tif 000004
【図３】
2006186658.tif 000005
【図４】
2006186658.tif 000006
【図５】
2006186658.tif 000007
【図６】
2006186658.tif 000008